(57)【要約】【課題】着色により積極的に人体に良い影響を与える眼鏡レンズや、その眼鏡レンズを有する眼鏡を提供する。【解決手段】本発明に係る眼鏡レンズ（実施例１〜２）は、着色された眼鏡レンズであって、分光透過率分布において、４２０ｎｍ以上４５０ｎｍ以下の波長域における平均透過率が３０％以上であり、６００ｎｍ以上６５０ｎｍ以下の波長域における平均透過率が８０％以上である。又、分光透過率分布において、５５０ｎｍ以上６００ｎｍ以下で極値が存在しない。更に、これらの眼鏡レンズを用いて眼鏡が形成される。【選択図】図１
2018087868.tif 000002
【特許請求の範囲】
【請求項１】
着色された眼鏡レンズであって、
分光透過率分布において、
４２０ｎｍ以上４５０ｎｍ以下の波長域における平均透過率が３０％以上であり、
６００ｎｍ以上６５０ｎｍ以下の波長域における平均透過率が８０％以上である
ことを特徴とする眼鏡レンズ。
【請求項２】
Ｄ６５光源２°視野におけるｘｙ表色系でのｙが０．４２以下であり、ｘが０．３以上である
ことを特徴とする請求項１に記載の眼鏡レンズ。
【請求項３】
分光透過率分布において、
５５０ｎｍ以上６００ｎｍ以下の波長域で極値が存在しない
ことを特徴とする請求項１又は請求項２に記載の眼鏡レンズ。
【請求項４】
請求項１ないしは請求項３の何れかに記載の眼鏡レンズが用いられている
ことを特徴とする眼鏡。
【発明の詳細な説明】
【技術分野】
【０００１】
本発明は、度の入っていないあるいは度付きの眼鏡レンズ、及び当該眼鏡レンズを用いた眼鏡に関する。
【背景技術】
【０００２】
可視光（例えば３８０ｎｍ（ナノメートル）以上７８０ｎｍ以下、あるいは４００ｎｍ以上８００ｎｍ以下等の波長域に係る視認可能な光）が人体に様々な影響を与えることが報告されつつあり、例えば、下記特許文献１に記載されているように、入眠や体温低下を促すために脳の松果体から入眠前後に分泌されるホルモンであるメラトニンの分泌が、夜間の受光により抑制されることが報告されている。メラトニン分泌抑制感度がピークとなる波長は、４６４ｎｍとされている。
特許文献１では、夜間の受光によるメラトニン分泌抑制を防止して睡眠を阻害しない照明用の光フィルタとして、波長４８０〜５０５ｎｍまでの波長域の平均透過率が３０％以下とされたものが提案されている。
【先行技術文献】
【特許文献】
【０００３】
【特許文献１】特開２００６−２５９０７９号公報
【発明の概要】
【発明が解決しようとする課題】
【０００４】
メラトニン分泌抑制の他、特定波長域（特定色）の可視光が人体に別の影響を与える可能性があり、特定色に着色された眼鏡レンズを有する眼鏡の装用によっても、人体に影響が及ぶ可能性がある。
しかし、眼鏡レンズや眼鏡においては、眼の保護のための透過率低減（例えば灰色のサングラス）や、視認性向上のための透過率分布調整（例えば緑色の芝を見易い茶色のゴルフ用サングラス）を実現するために着色されることがあるものの、積極的に人体に影響を与えるために着色されることはない。
本発明は、着色により積極的に人体に良い影響を与える眼鏡レンズや、その眼鏡レンズを有する眼鏡を提供することを目的とするものである。
【課題を解決するための手段】
【０００５】
上記目的を達成するために、請求項１に記載の発明は、着色された眼鏡レンズであって、分光透過率分布において、４２０ｎｍ以上４５０ｎｍ以下の波長域における平均透過率が３０％以上であり、６００ｎｍ以上６５０ｎｍ以下の波長域における平均透過率が８０％以上であることを特徴とするものである。
請求項２に記載の発明は、上記発明において、Ｄ６５光源２°視野におけるｘｙ表色系でのｙが０．４２以下であり、ｘが０．３以上であることを特徴とするものである。
請求項３に記載の発明は、上記発明において、分光透過率分布において、５５０ｎｍ以上６００ｎｍ以下の波長域で極値が存在しないことを特徴とするものである。
上記目的を達成するために、請求項４に記載の発明は、眼鏡であって、上記発明の眼鏡レンズが用いられていることを特徴とするものである。
【発明の効果】
【０００６】
本発明によれば、着色により積極的に人体に良い影響を与える眼鏡レンズや、その眼鏡レンズを有する眼鏡を提供することが可能となる、という効果を奏する。
【図面の簡単な説明】
【０００７】
【図１】実施例１〜２及び比較例１〜３の眼鏡レンズの可視域及びその周辺（３８０ｎｍ以上７８０ｎｍ以下）における分光透過率分布を示すグラフである。
【図２】実施例１〜２及び比較例１〜３の眼鏡レンズが呈する色の（ｘ，ｙ）がそれぞれプロットされたＣＩＥ色度図である。
【図３】実施例１の眼鏡レンズに係る第１の試験の結果（装用前後におけるうつの程度別の人数）を示すグラフである。
【発明を実施するための形態】
【０００８】
以下、本発明に係る実施の形態の例が、適宜図面を用いて説明される。尚、本発明の実施の形態は、以下のものに限定されない。
【０００９】
可視光のうち赤色光（赤色に相当する波長域（赤色域）の光）や黄色光は、視認により交感神経を刺激すると言われている。シュタインにより測定された、色付き光の人体への照射における筋肉組織の筋弛緩度の測定値であるライト・トーナス値（値が小さいほど弛緩状態にある）は、ベージュやパステルトーンで２３、青で２４、緑で２８というように弛緩反応を示すのに対して、黄色で３０、オレンジ色（橙色）で３５、赤で４２と、緊張ないし興奮の反応を示す。
そこで、赤色や黄色の系統の光が眼に入るように、それらの色の何れかに着色された眼鏡レンズを有する眼鏡を装用者に種々装用してもらうことで、良い影響が発生するか否かが調査された。
すると、オレンジ色に係る眼鏡の装用によって、うつやストレスの抑制ないしはうつやストレスの程度の軽減といった影響が発生し得ることが確認された。又、オレンジ色のうちの特定のものにおいて、これらの影響が顕著になり得ることが見出された。
かような発見に基づき、それぞれ僅かに色調が相違するオレンジ色に着色された眼鏡レンズが種々作成され、試行錯誤のうえで、次のような色が施された眼鏡レンズを有する眼鏡の装用により、上記の影響が顕著に及ぶことが判明した。
【００１０】
即ち、まず、眼鏡レンズの色は、可視域における分光透過率分布において、６００ｎｍ以上６５０ｎｍ以下の波長域の平均透過率が８０％以上であり、あるいは４２０ｎｍ以上４５０ｎｍ以下の波長域の平均透過率が３０％以上（５０％以下）である。ここで、眼鏡レンズの色は、オレンジ色であるから、好ましくは４２０ｎｍ（より好ましくは４５０ｎｍ）で５０％以下であり、又４００ｎｍで１０％以下（より好ましくは１％以下）である。又、４００ｎｍ以上４５０ｎｍ以下の平均透過率が２５％以上（５０％以下）であることが好ましい。
このような分布を有することにより、赤色域のうちの短波長側の透過率を確保して赤色成分による本来の刺激効果を確保しながら、特定の青色域において透過率をある程度確保して青色成分による鎮静効果をあえて得ることとして、相乗作用により効力の増した刺激効果をバランス良く確保すると共に、視感度透過率を適度に落として刺激し過ぎないようにすることができ、結果、うつやストレスの抑制ないしはうつやストレスの程度の軽減といった影響が、他のオレンジ色よりも顕著に表れる。
即ち、基本的に、６００ｎｍ以上６５０ｎｍ以下の波長域における平均透過率を高くすることにより、体温を上げ、気持ちを明るく前向きにし、免疫力を高めることとしながら、４２０ｎｍ以上４５０ｎｍ以下の波長域の平均透過率を相応に確保することにより、鎮静効果も上述の基本的作用を上回らない程度にあえて得られるものとされている。
【００１１】
又、好ましくは、眼鏡レンズの色は、可視域における分光透過率分布において、５００ｎｍ（５５０ｎｍ）以上６００ｎｍ以下の波長域で極値が存在しない（単調増加する）色である。
このような分布を有することにより、上述の影響が、他のオレンジ色よりもより一層顕著に表れることとなる。又、ヒトの比視感度のピーク（波長５５０ｎｍ）付近の透過率が単調に上昇していくことで、上述の作用が得られながら、明るい視界が確保される。
【００１２】
更に、好ましくは、眼鏡レンズの色は、ｘｙ表色系でのｘが０．４２以下（ｘ≦０．４２）となる色であり、あるいはｙが０．４（０．３８）以下（ｙ≦０．４，０．３８）となる色である。
ｘｙ表色系でのｘｙ座標（ｘ，ｙ）は、ＣＩＥ（国際照明委員会）色度図で表される。ここで、色の（ｘ，ｙ）は、Ｄ６５光源のもとでの２°視野における値であり、以下同様である。
尚、ここではそもそもオレンジ色であることが前提であるから、（ｘ，ｙ）については、次のことが言える。即ち、少なくとも０．３≦ｘである。又、好ましくは、０．３２≦ｘであり、又０．３≦ｙである。更に、より好ましくは、０．３４≦ｙである。加えて、更に好ましくは、０．３５≦ｘ≦０．４５であり、０．３５≦ｙ≦０．４である。
あるいは、好ましくは、眼鏡レンズの視感度透過率Ｙは、５５％以上（７０％以下）であり、より好ましくは、５５％以上６６％以下である。
【００１３】
本発明に係る眼鏡レンズは、レンズ基材に、オレンジ色や青色や赤色や黄色やピンク色等を呈する染料や顔料あるいはこれらの組み合せ等を（適宜調合のうえで）分散させたり、オレンジ色を呈する光学膜（着色フィルム）をレンズ基材の中や基材表面に設けたり、光学多層膜（誘電体多層膜）を片面あるいは両面に付与したり、これらを組み合わせたりすることで形成可能である。
レンズ基材の材質は、透光性を有していれば、ガラスやプラスチックを始めとしてどのようなものであっても良いが、好適にはプラスチックが用いられる。レンズ基材の材質の例として、ポリウレタン樹脂、エピスルフィド樹脂、ポリカーボネイト樹脂、アクリル樹脂、ポリエーテルサルホン樹脂、ポリ４−メチルペンテン−１樹脂、ジエチレングリコールビスアリルカーボネート樹脂が挙げられる。
又、光学膜や光学多層膜の少なくとも一方（以下この段落において「当該膜」とする）が付与される場合、レンズ基材の表面と当該膜の間にハードコート膜やプライマー層を形成したり、当該膜の表面に防汚膜を形成したり、レンズ基材の表面とハードコート膜の間やハードコート膜と当該膜の間あるいは当該膜と防汚膜の間等に、偏光機能や調光機能等を備えた中間層を具備させたりする等、膜構成は他のものに変更されても良い。更に、レンズ基材の裏面や表裏両面に、反射防止膜等が形成されても良い。
【００１４】
又、本発明に係る眼鏡は、眼鏡フレームに、上述の眼鏡レンズを入れることで形成可能である。
ここで、眼鏡は、室内でも装用可能なサングラスであっても良いし、通常の眼鏡に被せて装用するオーバーグラスであっても良い。
又、眼鏡フレームは、オレンジ色を呈するものであって良く、そのオレンジ色は、透光性を有していても良い。又、眼鏡フレームのオレンジ色は、眼鏡レンズと同じ色であっても良いし、より濃いものあるいはより薄いものというように違う色であっても良い。
更に、眼鏡フレームは、眼鏡レンズと顔面の間の隙間の上下左右部分のうちの少なくとも何れかを覆うものであっても良い。
【実施例】
【００１５】
次いで、上記実施形態に係る本発明の実施例や、本発明に属さない比較例を説明する。尚、上記実施形態に係る実施例は、以下のものに限定されない。又、本発明の捉え方によっては、本発明に属する実施例が本発明に属さない比較例となったり、比較例が実施例となったりすることがある。
【００１６】
［実施例や比較例の作製等］
実施例１〜２の眼鏡レンズや比較例１〜３の眼鏡レンズは、次のように作製された。
これらの眼鏡レンズは、ハードコートや光学多層膜による反射防止コート等の表面処理を有さないポリウレタン樹脂製であり、顔料及び染料の少なくとも何れかの分散により、互いに異なるオレンジ色で着色されている。色の調整は、各種染料顔料の組み合せやその各成分の増減により行われる。
これらの眼鏡レンズの屈折率は１．６０であり、アッベ数は４１であり、厚みは２ミリメートルである。
これらの眼鏡レンズは、度の入っていないものであるが、度付きにすることも可能である。
【００１７】
［実施例や比較例の特性等］
図１には、これらの眼鏡レンズの可視域及びその周辺（ここでは３８０ｎｍ以上７８０ｎｍ以下）における分光透過率分布が示される。又、図２には、これらの眼鏡レンズが呈する色（Ｄ６５光源２°視野）の（ｘ，ｙ）がそれぞれプロットされたＣＩＥ色度図が示される。更に、次の［表１］に、これらの眼鏡レンズが呈する、Ｄ６５光源２°視野における（ｘ，ｙ）が示される。
これらの色のＤ６５光源２°視野における（ｘ，ｙ）は、０．３４≦ｘ≦０．６，０．３４≦ｙ≦０．５の領域内に何れも入っており、それぞれオレンジ色を呈するものであるが、その領域内で互いに相違しており、それぞれ僅かに異なるオレンジ色となっている。
加えて、次の［表２］に、これらの眼鏡レンズの分光透過率による、視感度透過率Ｙと、４００ｎｍ以上４５０ｎｍ以下の波長域における平均透過率（％）と、４２０ｎｍ以上４５０ｎｍ以下の波長域における平均透過率（％）と、６００ｎｍ以上６５０ｎｍ以下の波長域における平均透過率（％）が示される。
【００１８】
【表１】
2018087868.tif 000003
【表２】
2018087868.tif 000004
【００１９】
実施例１〜２では、分光透過率分布において、波長λ（ｎｍ）が４２０≦λ≦４５０の域で平均透過率Ｔａ（％）がＴａ≧３０となっている（順に４６．５％、３０．６％）。
加えて、実施例１〜２では、分光透過率分布において、６００≦λ≦６５０の域でＴａ≧８０となっている（順に８８．８％、８６．６％）。
更に、実施例１〜２では、Ｄ６５光源２°視野における（ｘ，ｙ）において、何れもｙ≦０．４２且つｘ≧０．３である（順に（ｘ，ｙ）＝（０．３７４１５，０．３５６５０８），（０．４０８６２７，０．３７０１９５））。
又、実施例１〜２では、分光透過率分布において、５５０ｎｍ以上６００ｎｍ以下で極値が存在しない。
【００２０】
他方、比較例１〜３では、分光透過率分布において、波長λ（ｎｍ）が４２０≦λ≦４５０の域でＴａ＜３０となっている（順に０％，７．１％、８．０％）。
又、比較例１〜３では、分光透過率分布において、６００≦λ≦６５０の域でＴａ＜８０となっている（順に４９．２％，７６．３％、７８．１％）。
更に、比較例１〜３では、Ｄ６５光源２°視野における（ｘ，ｙ）において、何れもｙ＞０．４２である（順にｙ＝０．４３２３２５，０．４２８７２２，０．４３３５６９）。
又、比較例３では、分光透過率分布において、５５０ｎｍ以上６００ｎｍ以下で極値が存在しないが、比較例１〜２では、分光透過率分布において、５５０ｎｍ以上６００ｎｍ以下で極小値が存在する。
【００２１】
［実施例や比較例の評価等］
かような実施例１〜２，比較例１〜３の眼鏡レンズを２枚用いて眼鏡（サングラスやオーバーグラス）が形成され、それらの装用における影響について、次の２種類の試験が実施された。
【００２２】
第１の試験は、実施例１〜２，比較例１〜３に係る眼鏡を１５分間装用するそれぞれ１４人の被験者に対して行われ、その眼鏡の装用前後におけるＳＤＳ（抑うつ性の自己評定尺度）を取得して、抑うつ性の変化を調べるものである。
ＳＤＳ(Self-rating Depression Scale)は、アメリカDuke大学のZung W K(1965)によって作成された、抑うつ性を評価する自己評定尺度であり、２０項目の質問を４段階に自己評価するもので、第１，第３項目は感情について、第２，第４〜第１０項目は生理面、第１１〜第２０項目は心理面の症状についての質問である。ＳＤＳにおける項目は、全項目の半分の１０項目を反転項目としており、被験者にパターンがわかりにくいように工夫されている。ＳＤＳにおける得点は、各項目ごとに、「ない」または「たまにある」＝１点、「ときどき」＝２点、「かなりの間」＝３点、「ほとんどいつも」＝４点を与え、総点を出すことにより取得され、ＳＤＳの得点の大きさにより、次の通り、うつの程度が表現される。即ち、ＳＤＳ得点＝２０〜３９で正常であり、４０〜４７で軽度であり、４８〜５５で中等度であり、５６以上で重度である。
次の表３に、実施例１に係る第１の試験の結果が示され、図３に、その結果をうつの程度においてまとめたグラフが示される。
【００２３】
【表３】
2018087868.tif 000005
【００２４】
１名（Ｌ）のみＳＤＳ得点が実施例１の装用前後で同値となり、それ以外の１３名において、実施例１の装用後にＳＤＳ得点が減少した。全１４名の装用前のＳＤＳ得点の平均は約５０．５７であるのに対し、装用後のＳＤＳ得点の平均は約４５．３６となり、平均して５．２ポイント程度減少した。
うつの程度について、装用前の正常１名、軽度３名、中等度５名、重度５名に対し、装用後では正常３名、軽度５名、中等度４名、重度２名となった。
かように、実施例１の装用により、うつ状態の程度が改善した。
そして、実施例２でも同様に第１の試験が行われ、装用前後でＳＤＳ得点の平均が４ポイント程度減少するようにうつ状態の程度が改善した。
他方、比較例１〜３でも同様に第１の試験が行われ、装用前後でＳＤＳ得点の平均がそれぞれ１ポイント程度減少するようにうつ状態の程度が僅かに改善した。
【００２５】
第２の試験は、実施例１〜２，比較例１〜３に係る眼鏡を第１の試験と同様に１５分間装用したそれぞれ１１人の被験者に対して行われ、その眼鏡の装用前後における唾液アミラーゼ値を調べるものである。唾液アミラーゼ活性は、血漿ノルエピネフリン濃度と相関が高いことが良く知られており、その活性の度合いを示す唾液アミラーゼ値は、ストレス評価における交感神経の指標として利用されている。唾液アミラーゼ値が高い程、血漿ノルエピネフリン濃度が高いことになり、交感神経が活発に働いていて、ストレス評価においてストレスがよりかかっていることに対応する。
次の表４に、実施例１に係る第２の試験の結果が示される。
【００２６】
【表４】
2018087868.tif 000006
【００２７】
実施例１の眼鏡の装用により、１１名中２名アミラーゼ値が増加し（Ｔ，Ｘ）、２名変化なく（Ｐ，Ｙ）、７名減少した。
又、アミラーゼ値の平均は、装用前後で１９から約１２．４５へ、約６．５５ポイント減少した。
かように、実施例１の装用により、アミラーゼ値が減少し、ストレスが軽減された。
そして、実施例２でも同様に第２の試験が行われ、装用前後でアミラーゼ値の平均が６ポイント程度減少するようにストレスの程度が改善した。
又、比較例１〜３でも同様に第２の試験が行われ、装用前後でＳＤＳ得点の平均がそれぞれ１ポイント程度減少するようにストレスの程度が僅かに改善した。
【００２８】
第１の試験ないし第２の試験の結果から、実施例１，２は、比較例１〜３に比べて、うつ状態やストレスの軽減の度合いが大きいことが分かった。又、実施例２に比べ、実施例１が更にうつ等の軽減度合いが大きいことが分かった。
尚、第１の試験と第２の試験の被験者の大部分が女性であり、特に女性に対する好ましい影響が確認された。他方、男性に対しても同様の試験が行われ、同様の好影響が及ぶ（但し好影響の度合いは女性より小さい）ことが分かっている。又、現状では、一般にオレンジ色の眼鏡の装用は、男性にとって見た目等の理由により抵抗感があり、女性にとっては比較的に抵抗感が小さい。従って、装用者は、女性が好適であるが、女性に限定されるものではない。
【００２９】
［考察等］
実施例１〜２では、比較例１〜３と異なり、分光透過率分布において、波長（λ［ｎｍ］）が４２０≦λ≦４５０となる域内で平均透過率（Ｔａ［％］）がＴａ≧３０であり、６００≦λ≦６５０となる域内でＴａ≧８０である。よって、実施例１〜２では、赤色成分に加えて青色（短波長域）成分の透過率が比較的に大きい独特なオレンジ色が提供され、装用者に対して相当に良い影響が積極的に与えられる。
更に、実施例１〜２では、比較例１〜３と異なり、Ｄ６５光源２°視野におけるｘｙ表色系でのｙ≦０．４２であり、又５５０ｎｍ≦λ≦６００の域内で極値が存在しないから、やはり独特なオレンジ色が提供され、装用者に対して相当に良い影響が積極的に与えられる。
【００３０】
［変更例等］
以上では、眼鏡レンズや眼鏡が説明されたが、上述の色を呈する光学フィルタが眼鏡レンズと同様に基材に着色することで形成可能であり、かような光学フィルタが各種の光源に対するように設けられても、上述した影響を及ぼすことができる。
例えば、この光学フィルタが照明装置に組み込まれれば（照明光源の周りに配置されれば）、上述の色の照明が付与される。又、この光学フィルタが窓に貼付されれば、上述の色の光が導入される。
【図１】
2018087868.tif 000007
【図２】
2018087868.tif 000008
【図３】
2018087868.tif 000009